(57)【要約】【課題】学習機能を有し、常に最適な洗浄効果を得ることのできる印刷機の洗浄装置及び洗浄方法を提供することをその課題とする。【解決手段】印刷機を構成する胴１、２、３と、これら胴を洗浄するための洗浄装置５０と、洗浄装置５０を制御する制御部８０とを有する印刷機において、制御部８０は実行した洗浄モードにおける洗浄結果を学習して次回の洗浄モードを修正する。例えば実行した洗浄モードで洗浄した後に再洗浄が行われた場合、次回の洗浄モードについて、制御部８０は実行した洗浄モードよりも洗浄力を向上させた洗浄モードを選択する。 【選択図】  図４
2015217520.tif 000002
【特許請求の範囲】
【請求項１】
印刷機を構成する胴と、該胴を洗浄するための洗浄装置と、該洗浄装置を制御する制御部とを有する印刷機において、
該制御部は実行した洗浄モードにおける洗浄結果を学習して次回の洗浄モードを修正することを特徴とする印刷機。
【請求項２】
実行した洗浄モードで洗浄した後に再洗浄が行われた場合、次回の洗浄モードについて、該制御部は該実行した洗浄モードよりも洗浄力を向上させた洗浄モードを選択することを特徴とする請求項１記載の印刷機。
【請求項３】
所定枚数以下の印刷ジョブの場合、次回の洗浄モードについて、該制御部は実行した洗浄モードよりも洗浄力を低下させた洗浄モードを選択することを特徴とする請求項２記載の印刷機。
【請求項４】
印刷機を構成する胴と、該胴を洗浄するための洗浄装置とを有する印刷機において、
実行した洗浄モードにおける洗浄結果を学習して次回の洗浄モードを修正することを特徴とする印刷機の洗浄方法。
【発明の詳細な説明】
【技術分野】
【０００１】
本発明は印刷機に関し、特に各胴を洗浄するための洗浄装置を有する印刷機及びその洗浄方法に関するものである。
【背景技術】
【０００２】
印刷作業が終了した後、各胴を洗浄する洗浄装置を有する印刷機が知られている。例えば特許文献１にはこのような印刷機の洗浄装置及び洗浄方法に関する開示がある。
【先行技術文献】
【特許文献】
【０００３】
【特許文献１】特許第２９１８０９０号公報
【発明の概要】
【発明が解決しようとする課題】
【０００４】
特許文献１によると、インキの種類や印刷速度、印刷枚数等の運転パラメータをもとに、複数の洗浄プログラムから最適なものを自動選択して実行するように制御されている。しかしながら、自動選択された洗浄プログラムが必ずしも最適なものになるとは限らない場合がある。すなわち、洗浄不足で再洗浄することとなったり、洗浄過多となったりすることがあり、改善の余地があった。
【０００５】
本発明はこのような問題を解決するためになされたもので、その目的は、学習機能を有し、常に最適な洗浄効果を得ることのできる印刷機の洗浄装置及び洗浄方法を提供することである。
【課題を解決するための手段】
【０００６】
本発明は上記目的を達成するため、印刷機を構成する胴１、２、３と、該胴１、２、３を洗浄するための洗浄装置５０と、該洗浄装置５０を制御する制御部８０とを有する印刷機の洗浄装置において、該制御部８０は実行した洗浄モードにおける洗浄結果を学習して次回の洗浄モードを修正することを特徴とする。
【０００７】
また、実行した洗浄モードで洗浄した後に再洗浄が行われた場合、次回の洗浄モードについて、該制御部８０は該実行した洗浄モードよりも洗浄力を向上させた洗浄モードを選択することを特徴とする。
【０００８】
また、所定枚数以下の印刷ジョブの場合、次回の洗浄モードについて、該制御部８０は実行した洗浄モードよりも洗浄力を低下させた洗浄モードを選択することを特徴とする。
【０００９】
また、印刷機を構成する胴１、２、３と、該胴１、２、３を洗浄するための洗浄装置５０とを有する印刷機において、実行した洗浄モードにおける洗浄結果を学習して次回の洗浄モードを修正することを特徴とする。
【発明の効果】
【００１０】
本発明の印刷機においては、洗浄結果を学習することにより、常に最適な洗浄モードを選択することが可能となり、効率よく確実な洗浄を行うことが可能な印刷機の洗浄装置を提供することができる。
【００１１】
また、実行した洗浄モードで洗浄した後に再洗浄が行われた場合、次回の洗浄モードについて、洗浄力を向上させた洗浄モードが選択されるので、確実な洗浄作業が可能となる。
【００１２】
また、所定枚数以下の印刷ジョブの場合、次回の洗浄モードについて、洗浄力を低下させた洗浄モードを選択するので、効率のよい洗浄作業が可能となる。
【００１３】
また、洗浄結果を学習することにより、常に最適な洗浄モードを選択することが可能となり、効率よく確実な洗浄を行うことが可能な印刷機の洗浄方法を得ることができる。
【図面の簡単な説明】
【００１４】
【図１】本発明に係る乾燥装置を備えた印刷機の概略断面側面図である。
【図２】図１のＤ部拡大図である。
【図３】制御部を示すブロック図である。
【図４】洗浄作業のフローチャートである。
【発明を実施するための形態】
【００１５】
次に本発明を実施するための形態について図面を参照して説明する。
【００１６】
図１は本発明に係る洗浄装置を供えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙を送り出すための給紙部Ａと、この給紙部Ａからの枚葉紙に印刷を行うための印刷部Ｂと、枚葉紙を排紙するための排紙部Ｃを備えている。ここで印刷部Ｂは、４色の印刷が行えるように４台の印刷ユニット５を備えた印刷部Ｂとしているが、４色以外の色、つまり１色又は２色以上の印刷が行える印刷部であってもよい。又、印刷機を構成する各部の具体的な構成は図に示されるものに限定されるものではない。
【００１７】
前記印刷ユニット５は、版胴１とゴム胴２とインキローラ群４、そして圧胴３と渡し胴６とを備えている。ゴム胴２には図示しないブランケットが巻回されている。図示していないが、圧胴３のそれぞれには、送り出されてきた枚葉紙を爪台と爪とで把持するグリッパを、円周方向の２箇所（１箇所又は３箇所以上でもよい）に備えている。符号７は給紙胴であり、フィーダーボード８、口板９上を搬送される枚葉紙をスイングアーム１０から受け取り、圧胴３に渡す役割を果たす。給紙胴７、スイングアーム１０にも前記の爪台と爪が設けられている。
【００１８】
排紙部Ｃはチェーン搬送装置にて構成されている。すなわち、最終印刷ユニット５の圧胴３に隣接した、枚葉紙の搬送方向前側（上流側）に設けられたスプロケット１１と搬送方向後側（下流側）に設けられたスプロケット１２に無端状のチェーン１３が巻回されており、スプロケット１１、１２の回転により、図示しないチェーンガイドに規制された状態でチェーン１３は周回する。
【００１９】
図１、２に示すように、各印刷ユニット５に設けられたゴム胴２の搬送方向前側（上流側）には、洗浄装置５０がそれぞれ１つずつ設けられている。具体的には、図２に示すように、ケース状の洗浄装置本体５１に繰出し軸５２及び巻取り軸５３が回転可能に設けられており、両軸には洗浄布５４が巻回されている。よって両軸の回転により洗浄布は繰出し、巻取りが行われる。繰出し軸５２から繰出された洗浄布５４はパッド５５を覆うようにして巻取り軸５３に巻回されており、パッド５５は洗浄布５４を介してゴム胴２に接離可能となっている。つまり、パッド５５のゴム胴２への当接時に洗浄布５４によるゴム胴２に巻回されたブランケットの洗浄が行われ、パッド５５のゴム胴２からの離脱時に所定量の洗浄布５４が巻取られることにより、洗浄布５４の汚れていない部分がパッド５５に対向して、新たに洗浄を行うことが可能となるのである。
【００２０】
図３は本発明に係る制御部８０の構成を示す概略ブロック図であり、制御部８０には、前述の給紙部Ａ、印刷部Ｂ、排紙部Ｃ、洗浄装置５０、そして印刷機の各種操作を行うためのタッチパネル７０が接続されている。制御部８０は、演算処理等を行うマイクロプロセッサ８１(シーケンサでもよい)、データ及び所定のプログラム（演算式あるいはテーブル等）を記憶するＲＯＭ８２、機械回転数等に関する種々の情報を記憶可能なＲＡＭ８３を備えるとともに、マイクロプロセッサ８１と制御部８０の外部に設けられた装置（全ては図示せず）との間における各種信号のやりとりを仲介するインターフェイス８４等を備えて構成されている。
【００２１】
このように構成された印刷機における乾燥装置の動作について、図４のフローチャートをもとに説明する。所定の印刷作業（ＪＯＢ）が終了したら、印刷機の操作者はタッチパネル７０を操作して洗浄作業を指示する。すると、その印刷ＪＯＢにおける印刷枚数が所定枚数以下かどうかの確認が行われる（ステップＳ１）。この所定枚数とは任意の枚数が設定されるが、本実施例では５０００枚としている。
【００２２】
ステップＳ１でＮｏの場合、後述する高洗浄モードが選択される。Ｙｅｓの場合、ステップＳ２にて紙質の確認（低質かどうか）が行われる。Ｙｅｓ、すなわち低質の場合、低洗浄モードが選択され（ステップＳ３）、予めＲＯＭ８２に格納されている印刷ＪＯＢに応じた洗浄モードが設定される。例えば、全洗浄モードが２０あるとすると、洗浄能力の低いモード１〜１０を低洗浄モードとし、モード１１〜２０を高洗浄モードとすることができる。洗浄能力の種類については洗浄装置５０の洗浄布５４の当接回数や当接時間等により設定することができる。なお、低質紙とは例えばコート紙であり、上質紙とは嵩高ラフマット紙が挙げられる。
【００２３】
次に、洗浄結果が良好かどうかの確認がステップＳ４にて行われる。本実施例においては、操作者によるブランケットの洗浄結果の確認が行われ、洗浄結果が好ましくない場合、操作者は再洗浄を行う。この再洗浄の工程はステップＳ４でＮｏと判断されることとなり、ステップＳ６にて次回の同一ＪＯＢでは１ランク高い洗浄モードが選択されるよう、ＲＡＭ８３に記憶され、ルーチンを終了する。このように、再洗浄の工程を学習することにより、常に最適な洗浄モードを選択することが可能となるのである。なお、同一ＪＯＢとは、同一の印刷画像を印刷する作業同士のことである。
【００２４】
ステップＳ４で再洗浄が行われない場合、すなわち、次のＪＯＢが始まったり、機械停止となったりしたら、Ｙｅｓと判断されることとなり、ステップＳ５にて次回の同一ＪＯＢでは１ランク低い洗浄モードが選択されるよう、ＲＡＭ８３に記憶され、ルーチンを終了する。所定枚数以下の印刷ＪＯＢでは、洗浄過多となる傾向があるので、このように再洗浄が行われない場合は自動的に洗浄モードを１ランク低くするよう学習することにより、効率的な洗浄モードを実現することができる。再洗浄が行われない場合、洗浄モードは段階的に低くなっていくが、再洗浄が行われたら、再び洗浄モードは高く設定される。
【００２５】
ステップＳ２でＮｏの場合、高洗浄モードが選択され（ステップＳ７）、予めＲＯＭ８２に格納されている印刷ＪＯＢに応じた、例えば、モード１１〜２０のいずれかが設定される。
【００２６】
次に、洗浄結果が良好かどうかの確認がステップＳ８にて行われる。上記ステップＳ４と同様、操作者によるブランケットの洗浄結果の確認が行われ、洗浄結果が好ましくない場合、操作者は再洗浄を行う。この再洗浄の工程はステップＳ８でＮｏと判断されることとなり、ステップＳ９にて次回の同一ＪＯＢでは１ランク高い洗浄モードが選択されるよう、ＲＡＭ８３に記憶され、ルーチンを終了する。このように、再洗浄の工程を学習することにより、常に最適な洗浄モードを選択することが可能となるのである。
【００２７】
ステップＳ８で再洗浄が行われない場合、すなわち、次のＪＯＢが始まったり、機械停止となったりしたら、Ｙｅｓと判断されることとなる。上記ステップＳ５では次回の同一ＪＯＢで１ランク低い洗浄モードが選択されるように制御されていたが、所定枚数以上の印刷ＪＯＢでは、洗浄過多となる傾向はないのでこのままルーチンを終了する。
【００２８】
尚、本発明は、前記実施形態に限定されるものではなく、本発明の要旨を逸脱しない範囲で種々の変更が可能である。例えば前述の実施形態では、操作者によるブランケットの洗浄結果の確認に基づく再洗浄の工程を学習することにより、常に最適な洗浄モードを選択するように制御されていたが、これに限らず、例えばゴム胴２付近に検査カメラを設置して、洗浄後のブランケットの洗浄状況を該カメラにて撮影し、予め制御部８０が記憶している基準画像との比較結果により、再洗浄の要否を決定するようにしてもよい。
【００２９】
また、前述の実施形態では、枚葉オフセット印刷機であったが、これに限定されず、洗浄装置を備えた印刷機であれば輪転紙印刷機やグラビア印刷機やフレキソ印刷機のようなものであってもよい。
【産業上の利用可能性】
【００３０】
本発明に係る印刷機は、洗浄装置を有する印刷機において極めて有用である。
【符号の説明】
【００３１】
２…ゴム胴、５…印刷ユニット、５０…洗浄装置、５１…洗浄装置本体、５２…繰出し軸、５３…巻取り軸、５４…洗浄布、５５…パッド、７０…タッチパネル、８０…制御部、Ａ…給紙部、Ｂ…印刷部、Ｃ…排紙部、
【図１】
2015217520.tif 000003
【図２】
2015217520.tif 000004
【図３】
2015217520.tif 000005
【図４】
2015217520.tif 000006